(57)【要約】【課題】目の周りのシワやシミ等の拡大を防止することができる老眼鏡を提供すること。【解決手段】一対の透視部４ａ，４ｂと、透視部４ａ，４ｂの内側部を連結する連結部６と、透視部４ａ，４ｂの外側部に設けられた一対の耳掛け蔓部８と、を有する老眼鏡において、透視部４ａ，４ｂの各々は、それぞれ、屈折補正をする凸状レンズ部１０ａ，１０ｂと、屈折補正をしない透明部１２ａ，１２ｂとを有しており、凸状レンズ部１０ａ，１０ｂは透視部４ａ，４ｂの内側領域に設けられ、透明部１２ａ，１２ｂは透視部４ａ，４ｂの外側領域に設けられていることを特徴とする老眼鏡。凸状レンズ部１０ａ，１０ｂと透明部１２ａ，１２ｂとの境目の境目部分１４ａ，１４ｂは境目が実質上存在しないように連続して設けられている。【選択図】      図１
2004294614.tif 000002
【特許請求の範囲】
【請求項１】
一対の透視部と、前記一対の透視部の内側部を連結する連結部と、前記一対の透視部の外側部に設けられた一対の耳掛け蔓部と、を有する老眼鏡において、
前記一対の透視部の各々は、それぞれ、屈折補正をする凸状レンズ部と、屈折補正をしない透明部とを有しており、前記凸状レンズ部は前記一対の透視部の内側領域に設けられ、前記透明部は前記一対の透視部の外側領域に設けられていることを特徴とする老眼鏡。
【請求項２】
前記凸状レンズ部は前記一対の透視部の前記内側領域の上部に設けられ、前記透明部は前記一対の透視部の前記外側領域から前記内側領域の下部にわたって設けられている請求項１に記載の老眼鏡。
【請求項３】
前記凸状レンズ部は前記一対の透視部の前記内側領域の下部に設けられ、前記透明部は前記一対の透視部の前記外側領域から前記内側領域の上部にわたって設けられている請求項１に記載の老眼鏡。
【請求項４】
前記一対の透視部の前記凸状レンズ部と前記透明部とは、境目が実質上存在しないように連続して設けられている請求項１〜３のいずれかに記載の老眼鏡。
【発明の詳細な説明】
【０００１】
【発明の属する技術分野】
本発明は、明視領域における文章や図形等が明瞭に見えにくくなった老視者が利用する老眼鏡に関する。
【０００２】
【従来の技術】
従来から、老視者が利用する老眼鏡として、透視部全体が凸状レンズ部に形成されたものが知られている。透視部全体が凸状レンズ部で構成された老眼鏡においては、老視者が透視部のどの部分を通して見ても明視領域における文章等が拡大され、従って、この老眼鏡を使用することによって、新聞、書籍などの小さい文字でも容易に見ることができる。
【０００３】
【発明が解決しようとする課題】
ところが、老眼鏡では、透視部全体が凸状レンズ部に形成されるので、この老眼鏡を使用している老視者の顔を他人が見たとき、凸状レンズ部の拡大作用によって、凸状レンズ部によって透視された老視者の目の周りのシワ、シミ等が拡大され、他人から見たときに実際の容貌と異なり、老視者に好まれなかった。そのために、通常時（例えば、外出時、人と接触する時など）は老眼鏡を身に付けず、新聞などの小さな文字を読むときのみ老眼鏡を掛けることが多く、老眼鏡を付けたり、外したりしなければならず、その手間が煩わしいという問題がある。
【０００４】
特に、老視は５０歳を過ぎるとほとんどの人に現れる現象であり、皮膚等にも年齢と共に老化現象が起こり、老眼鏡を利用する人の目の周りは、まだ老眼鏡を使用する必要がない人と比べるとシワやシミ等が多くある。さらに、高齢になればなるほど老視が進むため、明視距離における文字等を明瞭に見るためには老眼度数を上げなければならず、その結果、透視部の凸状レンズ部の拡大率も大きくなり、シワやシミ等もより大きく拡大されるようになる。このように、高齢になるにしたがって増えるシワやシミ等が、高齢になるにしたがって大きくなる老眼度数によりより拡大され、このようなことは、老眼鏡使用者、特に高齢女性にとっては好まれなかった。
【０００５】
また、老眼度数が大きくなって凸状レンズ部の拡大率が大きくなると、他人から見たときに老眼鏡装着者の顔の一部が拡大され、老眼鏡の透視部を通して見える部分（凸状レンズ部により拡大される部分）とかかる透視部から外れた部分とで大きさが異なり、顔が大きく歪んで見えるようになり、このようなことも老眼鏡使用者にとって好ましくなかった。
【０００６】
本発明の目的は、老眼鏡使用者の目の周りのシワやシミ等が拡大されるのを防止した老眼鏡を提供することである。
【０００７】
【課題を解決するための手段】
本発明の請求項１に記載の老眼鏡は、一対の透視部と、前記一対の透視部の内側部を連結する連結部と、前記一対の透視部の外側部に設けられた一対の耳掛け蔓部と、を有する老眼鏡において、
前記一対の透視部の各々は、それぞれ、屈折補正をする凸状レンズ部と、屈折補正をしない透明部とを有しており、前記凸状レンズ部は前記一対の透視部の内側領域に設けられ、前記透明部は前記一対の透視部の外側領域に設けられていることを特徴とする。
【０００８】
この老眼鏡においては、一対の透明部の内側領域に屈折補正を有する凸状レンズ部が設けられ、それらの外側領域に屈折補正を有しない透視部が設けられているので、老眼鏡を装着した状態では、老眼鏡使用者の目の位置に凸状レンズ部が位置し、この使用者の目尻付近に透明部が位置するようになる。透明部は屈折補正をする機能を有しておらず、従って、目尻付近のシワやシミ等が拡大されることを防止することができる。また、一対の透視部の外側領域に透明部が設けられているので、他人が老眼鏡使用者の顔を見たときに、この透明部を通して見える部分、即ち顔の側部は拡大されず、使用者の顔が歪んで見えることもほとんど解消することができる。
【０００９】
また、本発明の請求項２に記載の老眼鏡では、前記凸状レンズ部は前記一対の透視部の前記内側領域の上部に設けられ、前記透明部は前記一対の透視部の前記外側領域から前記内側領域の下部にわたって設けられていることを特徴とする。
【００１０】
この老眼鏡においては、凸状レンズ部が透視部の内側領域の上部に設けられ、透明部は透視部の外側領域からその内側領域の下部にわたって設けられているので、老眼鏡を装着した状態では、老眼鏡使用者の目の位置に凸状レンズ部が位置し、この使用者の目尻付近や目の下まぶた付近に透明部が位置するようになる。従って、目尻付近や目の下まぶた付近のシワやシミ等が拡大されることを防止することができるとともに、顔が歪んで見えることも防止することができる。
【００１１】
また、本発明の請求項３に記載の老眼鏡では、前記凸状レンズ部は前記一対の透視部の前記内側領域の下部に設けられ、前記透明部は前記一対の透視部の前記外側領域から前記内側領域の上部にわたって設けられていることを特徴とする。
【００１２】
この老眼鏡においては、凸状レンズ部が透視部の内側領域の下部に設けられ、透明部は透視部の外側領域からその内側領域の上部にわたって設けられているので、老眼鏡を装着した状態では、老眼鏡使用者の目の位置に凸状レンズ部が位置し、この使用者の目尻付近や目の上まぶた付近に透明部が位置するようになる。従って、目尻付近や目の上まぶた付近のシワやシミ等が拡大されることを防止することができるとともに、顔が歪んで見えることも防止することができる。
【００１３】
また、本発明の請求項４に記載の老眼鏡では、前記一対の透視部の前記凸状レンズ部と前記透明部とは、境目が実質上存在しないように連続して設けられていることを特徴とする。
【００１４】
この老眼鏡においては、透視部における凸状レンズ部と透明部の境目部分が見えないため、見た目は一枚の凸状レンズ部からなる老眼鏡に見える。従って、外観が良く、また他人がこの老眼鏡使用者の顔を見たときには、目だけが拡大され、目の周りのシワやシミ等は拡大されないので、シワやシミ等が目に対して相対的に小さく見えるようになり、これによって、この老眼鏡使用者にとっては、シワやシミ等が実際よりも小さく見られるという利点がある。
【００１５】
【発明の実施の形態】
以下、添付図面を参照して、本発明に従う老眼鏡の実施形態について説明する。
図１は、一対の透視部の各内側領域に凸状レンズ部を、各外側領域に透明部を設けた老眼鏡の正面図である。図２は、図１に示す老眼鏡を老視者が装着したときの正面図である。図３は、一対の透視部の各内側領域の上部に凸状レンズ部を、各外側領域から前記内側領域の下部にわたって透明部を設けた老眼鏡の正面図である。図４は、一対の透視部の各内側領域の下部に凸状レンズ部を、各外側領域から前記内側領域の上部にわたって透明部を設けた老眼鏡の正面図である。図５は、従来から知られている透視部全体が凸状レンズ部で構成された老眼鏡を老視者が装着したときの正面図である。
【００１６】
図１及び図２を参照して老眼鏡２について説明すると、図示の一対の透視部４ａ，４ｂの各々は、それぞれ、屈折補正をする凸状レンズ部１０ａ，１０ｂと、屈折補正をしない透明部１２ａ，１２ｂとからなっており、前記凸状レンズ部１０ａ，１０ｂは前記一対の透視部４ａ，４ｂの内側領域に設けられ、前記透明部１２ａ，１２ｂは前記一対の透視部４ａ，４ｂの外側領域に設けられており、ガラス又は合成樹脂等の透明部材で一体成型される。凸状レンズ部１０ａ，１０ｂは、老眼鏡使用者の目の位置に配置され、透明部１２ａ，１２ｂはこの使用者の目尻付近に位置するように配置される。実際には、老眼鏡使用者の目６０ａ，６０ｂの大きさ、目尻や目元の位置等は右目と左目及び使用者それぞれによって異なるため、凸状レンズ部１０ａ，１０ｂ及び透明部１２ａ，１２ｂは、これらを考慮して最適な位置に配置されるように構成することができる。
【００１７】
図２は、図１の老眼鏡２を老視者が装着したときの様子を表している。一方、図５は図２と比較した従来からの老眼鏡２Ｃを老視者が装着したときの様子を表している。老視者には、目６０ａ，６０ｂの周りに目尻のシワ６２ａ，６２ｂ、シミ６４ａ，６４ｂが複数存在する。上述のように、凸状レンズ部１０ａ，１０ｂは、老眼鏡使用者の目６０ａ，６０ｂの位置に配置され、透明部１２ａ，１２ｂはこの使用者の目尻付近に位置するように配置されているため、図５のシワ６２ｃ，６２ｄ、シミ６４ｃ，６４ｄは拡大されているのに対し、図２のシワ６２ａ，６２ｂ、シミ６４ａ，６４ｂは拡大されていない。また、図５の老眼鏡２Ｃでは、透視部５４ｃ，５４ｄの全体が凸状レンズ部で構成されているため、当然、透視部４ａ，４ｂの外側領域に相当する部分を通して見える使用者の顔の一部７２ｃ，７２ｄが凸状レンズ部の拡大作用によって歪んで見える。これに対して、図２では、透視部４ａ，４ｂの外側領域に屈折補正をしない透明部１２ａ，１２ｂが設けられているので、使用者の顔の一部７２ａ，７２ｂが歪んで見えることが少ない。
【００１８】
また、境目部分１４ａ，１４ｂは外観上見えないように加工されているので、老眼鏡２は、見た目は図５の老眼鏡２Ｃと同じように一枚の凸状レンズ部からなる老眼鏡に見える。老眼鏡２では目６０ａ，６０ｂだけが拡大され、目尻のシワ６２ａ，６２ｂ、シミ６４ａ，６４ｂが拡大されないので、他人が老眼鏡２を装着した人を見ると、シワ６２ａ，６２ｂ、シミ６４ａ，６４ｂが目６０ａ，６０ｂに対して相対的に小さく見えるようになる。さらに老眼鏡２は、老眼鏡２Ｃと見た目は同じように見えるため、他人が老眼鏡２を装着した人を見るときには、老眼鏡２Ｃを装着している人として見るため、目６０ａ，６０ｂだけが拡大され、目尻のシワ６２ａ，６２ｂ、シミ６４ａ，６４ｂが拡大されない老眼鏡２では、実際よりシワ６２ａ，６２ｂ、シミ６４ａ，６４ｂが小さく見えるようになる。
【００１９】
次に、図３とともに図２及び図５を用いて本発明の一実施例である老眼鏡２Ａを説明する。図示の透視部２４ａ，２４ｂの内側領域の上部に凸状レンズ部３０ａ，３０ｂを設け、透明部３２ａ，３２ｂは透視部２４ａ，２４ｂの外側領域から内側領域の下部、つまり凸状レンズ部３０ａ，３０ｂの下部にわたって設けられている。凸状レンズ部３０ａ，３０ｂは図２の老眼鏡使用者の目６０ａ，６０ｂの位置に配置され、透明部３２ａ，３２ｂは下まぶたのシワ６８ａ，６８ｂ及び目尻のシワ６２ａ，６２ｂ、シミ６４ａ，６４ｂが拡大されない位置に配置される。
【００２０】
従って、老眼鏡２Ａを装着すると、目尻のシワ６２ａ，６２ｂ、シミ６４ａ，６４ｂが拡大されずにすむと共に、図５の老眼鏡２Ｃでは拡大される下まぶたのシワ６８ｃ，６８ｄやシミ６４ｃ，６４ｄが拡大されないので、特に下まぶた付近にシワやシミ等を多く有する老視者にとっては好まれる。
【００２１】
次に、図４とともに図２及び図５を用いて本発明の一実施例である老眼鏡２Ｂを説明する。図示の透視部４４ａ，４４ｂの内側領域の下部に凸状レンズ部５０ａ，５０ｂを設け、透明部５２ａ，５２ｂは透視部４４ａ，４４ｂの外側領域から内側領域の上部、つまり凸状レンズ部５０ａ，５０ｂの上部にわたって設けられている。凸状レンズ部５０ａ，５０ｂは図２の老眼鏡使用者の目６０ａ，６０ｂの位置に配置され、透明部４２ａ，４２ｂは上まぶたのシワ７０ａ，７０ｂ及び目尻のシワ６２ａ，６２ｂ、シミ６４ａ，６４ｂが拡大されない位置に配置される。
【００２２】
従って、老眼鏡２Ｂを装着すると、目尻のシワ６２ａ，６２ｂ、シミ６４ａ，６４ｂが拡大されずにすむと共に、図５の老眼鏡２Ｃでは拡大される上まぶたのシワ７０ｃ，７０ｄやシミ６４ｃ，６４ｄが拡大されないので、特に上まぶた付近にシワやシミ等を多く有する老視者にとっては好まれる。
【００２３】
上記実施例では、透明部は屈折補正をしないものを用いているが、これはシワ等の拡大を防止することができる他の透明部材でもよく、例えばこの部分には凹状レンズ部を用いることも可能である。凹状レンズ部は凸状レンズ部と反対の縮小作用を有するので、そのようなレンズ構成の老眼鏡使用者を他人が見たときには、シワやシミ等が凹状レンズ部を介することによって実際の大きさよりも縮小して見られるという効果がある。ただしこの場合の凹状レンズ部はシワやシミ等が拡大されることを防止するための一手段であって、いわゆる遠近両用眼鏡に用いられる近視者用の凹状レンズ部を目的としたものではない。
【００２４】
またさらに、透明部に着色したものを用いればシワやシミ等を目立たなくすることができる。例えば、老視者の肌の色に合わせて透明部を着色した老眼鏡を装着したときには、凸状レンズ部は着色されていないので明視領域での視界を妨げることなく、肌色着色透明部でシワやシミ等を覆うことになるので、シワやシミ等の拡大を防止するとともに、目立たなくすることができる。
【００２５】
以上、本発明に従う老眼鏡の実施形態について説明したが、本発明はこれら実施形態に限定されるものではなく、本発明の範囲を逸脱することなく種々の変形乃至修正が可能である。
【００２６】
【発明の効果】
本発明の請求項１に記載の老眼鏡によれば、老眼鏡使用者の目尻のシワやシミ等が拡大されないので好まれ、シワやシミ等を多く有する使用者や、特に高齢女性にとってはそれらを気にすることなく、老眼鏡を使用できる。さらに、老眼鏡の透視部を通して見える顔の側部が歪むことが少ないので、通常時（例えば、外出時、人と接触する時など）にも老眼鏡をはずすことなく使用できる。
【００２７】
通常、人は目の前の明視領域における文章等を読んだり物を見たりするときは、眼球を文章等や物に沿って上下に動かすという動作を行う。この場合でも眼球は多少左右に動くが、それはごく短い距離なので目全体を覆うように凸状レンズ部を配置することによって凸状レンズ部の領域外に視線が行くことは少なくすることができる。一方、左右方向にある物を見る場合には、眼球を左右に動かすよりも、顔自体を物がある方向に動かして見るという動作を行うのが自然である。したがって本発明の老眼鏡のように透視部の外側領域が屈折補正をしない透明部で構成されていても、老眼鏡使用者が左右にある物を見るときには自然と顔自体をその物がある方向に動かして見るので、実際には凸状レンズ部を介してその物を拡大して見ることができ、透視部の外側領域が屈折補正をしない透明部で構成されていても、老眼鏡使用者は何ら不便を感じることはない。
【００２８】
また、本発明の請求項２に記載の老眼鏡によれば、老眼鏡使用者の目尻付近や目の下まぶた付近のシワやシミ等が拡大されないので好まれ、特に目の下まぶた付近にシワやシミ等を多く有する使用者にとってはそれらを気にせずに、また顔の側部が歪むことが少ないので、通常時にも老眼鏡をはずすことなく継続的に使用することができる。
【００２９】
また、本発明の請求項３に記載の老眼鏡によれば、老眼鏡使用者の目尻付近や目の上まぶた付近のシワやシミ等が拡大されないので好まれ、特に目の上まぶた付近にシワやシミ等を多く有する使用者にとってはそれらを気にせず、また顔の側部が歪むことが少ないので、通常時にも老眼鏡をはずすことなく継続的に使用することができる。
【００３０】
また、本発明の請求項４に記載の老眼鏡によれば、凸状レンズ部と透明部の境目部分が実質上存在しないように加工されているため、透視部は連続した一枚の凸レンズからなる老眼鏡に見えるため、外観が良い。また他人がこの老眼鏡使用者の顔を見たときには、目だけが拡大され、目の周りのシワやシミ等は拡大されないので、シワやシミ等が目に対して相対的に小さく見えるようになり、老眼鏡使用者にとっては、シワやシミ等が実際よりも小さく見られるという利点がある。
【図面の簡単な説明】
【図１】一対の透視部の各内側領域に凸状レンズ部を、各外側領域に透明部を設けた老眼鏡の正面図である。
【図２】図１に示す老眼鏡を老視者が装着したときの正面図である。
【図３】一対の透視部の各内側領域の上部に凸状レンズ部を、各外側領域から前記内側領域の下部にわたって透明部を設けた老眼鏡の正面図である。
【図４】一対の透視部の各内側領域の下部に凸状レンズ部を、各外側領域から前記内側領域の上部にわたって透明部を設けた老眼鏡の正面図である。
【図５】透視部全体が凸状レンズ部で構成された老眼鏡を老視者が装着したときの正面図である。
【符号の説明】
２，２Ａ，２Ｂ，２Ｃ  老眼鏡
４ａ，４ｂ，２４ａ，２４ｂ，４４ａ，４４ｂ，５４ｃ，５４ｄ  透視部
６  連結部
８  耳掛け蔓部
１０ａ，１０ｂ，３０ａ，３０ｂ，５０ａ，５０ｂ  凸状レンズ部
１２ａ，１２ｂ，３２ａ，３２ｂ，５２ａ，５２ｂ  透明部
１４ａ，１４ｂ，３４ａ，３４ｂ，５４ａ，５４ｂ  境目部分
６０ａ，６０ｂ  目
６２ａ，６２ｂ  目尻のシワ
６４ａ，６４ｂ，６４ｃ，６４ｄ    シミ
６８ａ，６８ｂ，６８ｃ，６８ｄ    下まぶたのシワ
７０ａ，７０ｂ，７０ｃ，７０ｄ  上まぶたのシワ
７２ａ，７２ｂ，７２ｃ，７２ｄ  顔の一部
【図１】
2004294614.tif 000003
【図２】
2004294614.tif 000004
【図３】
2004294614.tif 000005
【図４】
2004294614.tif 000006
【図５】
2004294614.tif 000007